【事件の表示】
　平成１０年特許願第２６２３８０号「プリント作成装置及びプリント作成システム」拒絶査定不服審判事件〔平成１２年　３月１４日出願公開、特開２０００−　７５４１５〕について、次のとおり審決する。
【結　論】
　本件審判の請求は、成り立たない。
【理　由】
１．手続の経緯・本願発明
　本願は、平成１０年８月３１日の出願であって、平成１７年２月２４日付で拒絶査定がなされ、これに対して、同年３月３０日に審判請求がなされたものである。
　本願の請求項１〜４に係る発明は、平成１５年８月２９日付の手続補正書により補正された明細書及び図面の記載からみて、その特許請求の範囲の請求項１〜４に記載された事項により特定されるとおりのものであり、その請求項１に係る発明は次のとおりのものである。
「【請求項１】
　現像済みの写真感光材料に記録された画像から画像データを読み取る第１の画像データ読取手段と、画像データを記憶した画像データ記憶媒体から画像データを読取る第２の画像データ読取手段とを有し、前記第１及び第２の画像データ読取手段で読み、取られた画像データを基にしてプリントを作成するプリント作成装置において、
　プリントを作成しようとする画像デー夕の画像を画面に表示する表示手段と、この表示手段に表示された画像データからプリントを作成するためのプリント作成条件を入力する入力手段とを有し、
　前記第１の画像データ読取手段により読取られた画像デ―夕の画像を前記表示手段に表示する場合の画像の駒数と、前記第２の画像データ読取手段により読取られた画像デ―夕の画像を前記表示手段に表示する場合の画像の駒数とを同じにしたことを特徴とするプリント作成装置。」（以下、「本願発明」という。）
　
２．引用刊行物
　原査定の拒絶理由に引用された、特開平１０−２１４２９５号公報（以下、「引用文献１」という。）には、次の事項が記載されている。
「本発明の写真プリント注文システムは、所定のフォトフィニッシングシステムにより処理される所定の規格の電子データからなるプリント注文情報を作成して写真画像のプリント注文を行う写真プリント注文システムであって、現像済フィルムを読み取って得られる写真画像の画像データを、その画像データに対して提供され得るプリントサービスに関するプリントサービス情報とともに所定の記録媒体に記録するプリントサービス情報記録手段と、その記録媒体に記録された画像データに関するプリントサービスを要求するためのプリント注文情報を作成する際に、その記録媒体に記録された前記プリントサービス情報を前記画像データとともに注文画面上に表示する表示手段と、表示されたプリントサービス情報を使用した各種指示情報の入力を受け付ける入力受付手段と、その入力受付手段により受け付けた指示情報を使用してプリント注文情報を作成するプリント注文情報作成手段とを備えてなることを特徴とするものである。」（第３頁右欄第１８−３５行）
　
『「所定の記録媒体」とは、写真店などと顧客との間で画像データをやりとりするための媒体であって、例えばＭＯ、ＺＩＰ、ＦＤなどである。これらの記録媒体を介してやりとりする画像データは、そのままプリントすることができる高解像度画像データであってもよい』（第４頁左欄第１０−１５行）
　
「【００１４】なお、記録媒体に記録された画像データは顧客が自在に編集することができるものである。特に高解像度画像データの場合にはそのデータがそのままプリントされるため、顧客の側において、レイアウト、トリミング、イラストとの組み合わせといった編集作業以外に画像の変形加工なども行うことができる。つまり、上記「プリント注文」の対象となる画像データは、フィルムから読み取られて記録媒体に記録された画像データと、その画像データに対して編集加工処理を施した後の編集加工済画像データの両方を意味するものとする。」（第４頁左欄第４１−５０行）
　
『「表示装置」あるいは「各種入力装置」は、具体的にはパソコンのモニタやキーボード、マウスなどのことである。』（第４頁右欄第１７−１９行）
　
「【００１９】現像済フィルム１に記録されている写真画像は、ラボシステム９のフィルムスキャナ３により読み取られ、デジタル化される。これにより得られたデジタル画像データは顧客の依頼に応じてデジタルプリンタ６により同時プリント10として出力されるとともに、出力用ドライブ５により例えばＭＯあるいはＺＩＰなどの記録媒体２に記録される。」（第４頁右欄第４２−４８行）
　
「顧客のパソコン７には、写真画像を閲覧するためのビューアソフトや、編集加工するための編集加工ソフトや、プリント注文情報を作成するための注文処理ソフトがインストールされているものとする。・・・
【００２６】このようなソフトウェアの利用により、顧客はパソコンの画面上で前記記録媒体２に記録されている写真画像データを参照し、例えばいくつかの画像を好みのレイアウトで組み合わせて１つの画像としたり、イラストあるいは文字と組み合わせたりして編集済画像データを作成する。そして、注文画面によりこのような編集済画像データあるいはサービス店から提供されたままの状態の画像データについてのプリント注文情報を作成する。
【００２７】図２は、このプリント注文情報作成処理17を説明するための図である。この処理はパソコンに組み込まれた注文処理ソフトにより行われるものである。このソフトウェアは、サービス店において記録媒体2aに記録されて提供された画像データ、あるいはその画像データに対して顧客が編集加工を施して記録媒体2aあるいはパソコンのハードディスク11に記録せしめた編集済画像データなどを読み込み、これらの画像データを画面18上に表示する。・・・
【００２８】プリント出力する対象の画像データが、顧客により例えばキーボードあるいはマウスを使用して選択される・・・プリント注文情報１６が・・・記録媒体２ｂに記録される。」（第５頁右欄第５行ー第６頁左欄第１行）
　
「ラボシステム９はその記録媒体2bからプリント注文情報16を読み込んで自動的に注文された写真プリント（例えば図１の編集済プリント８）を作成することが可能になる。」（第６頁左欄第１８−２１行）
　
「画像データが高解像度画像データである場合にはそのままプリント出力すればよい」（第６頁左欄第２７−２９行）
　
　前記記載事項と図面の記載からみて、引用文献１には「現像済フィルムに記録されている写真画像を、読み取りデジタル化するフィルムスキャナと、画像データを記録した記録媒体２ａから画像データを読み込む手段とを有し、前記フィルムスキャナ、及び記録媒体２ａから画像データを読み込む手段で読み、取られた画像データを基にして写真プリントを作成する写真プリント作成システムにおいて、
　写真プリントを作成しようとする記録媒体２に記録されている写真画像データをパソコンの画面上で参照する、あるいは、写真プリントを作成しようとする画像データを画面18上に表示する表示手段と、パソコンの画面上で記録媒体２に記録されている写真画像データを参照し、編集済画像データを作成し、プリント注文情報を作成する、あるいは、画面18上に表示された画像データから、プリント出力する対象の画像データが、顧客により例えばキーボードあるいはマウスを使用して選択され、プリント注文情報が記録媒体に記録される入力装置とを有し、
　前記フィルムスキャナにより読取られた画像デ―夕の画像を前記表示手段に表示し、前記記録媒体２ａから画像データを読み込む手段により読取られた画像デ―夕の画像を前記表示手段に表示することを特徴とする写真プリント作成システム。」（以下、「引用発明」という。）が記載されている。
　
３．対比
　引用発明における「現像済フィルムに記録されている写真画像を、読み取りデジタル化するフィルムスキャナ」、「画像データを記録した記録媒体２ａから画像データを読み込む手段」、「写真プリント」、「記録媒体２に記録されている写真画像データをパソコンの画面上で参照する、あるいは、画像データを画面18上に表示する」、「パソコンの画面上で記録媒体２に記録されている写真画像データを参照し、編集済画像データを作成し、プリント注文情報を作成する、あるいは、画面18上に表示された画像データから、プリント出力する対象の画像データが、顧客により例えばキーボードあるいはマウスを使用して選択され、プリント注文情報が記録媒体に記録される」、及び「入力装置」は、本願発明における「現像済みの写真感光材料に記録された画像から画像データを読み取る第１の画像データ読取手段」、「画像データを記憶した画像データ記憶媒体から画像データを読取る第２の画像データ読取手段」、「プリント」、「画像デー夕の画像を画面に表示する」、「表示手段に表示された画像データからプリントを作成するためのプリント作成条件を入力する」、及び「入力手段」にそれぞれ相当するものであるので、本願発明と引用発明とを対比すると、両者は、
「現像済みの写真感光材料に記録された画像から画像データを読み取る第１の画像データ読取手段と、画像データを記憶した画像データ記憶媒体から画像データを読取る第２の画像データ読取手段とを有し、前記第１及び第２の画像データ読取手段で読み、取られた画像データを基にしてプリントを作成するプリント作成装置あるいはシステムにおいて、
　プリントを作成しようとする画像デー夕の画像を画面に表示する表示手段と、この表示手段に表示された画像データからプリントを作成するためのプリント作成条件を入力する入力手段とを有し、
　前記第１の画像データ読取手段により読取られた画像デ―夕の画像を前記表示手段に表示し、前記第２の画像データ読取手段により読取られた画像デ―夕の画像を前記表示手段に表示することを特徴とするプリント作成装置あるいはシステム。」で一致し、次の点で相違する。
　
相違点（Ａ）：
　第１の画像データ読取手段により読取られた画像デ―夕の画像を表示手段に表示する場合と、第２の画像データ読取手段により読取られた画像デ―夕の画像を表示手段に表示する場合とにおいて、本願発明は、表示する画像の駒数を同じにしたのに対して、引用発明は、そのことについての明示がない点。
　
相違点（Ｂ）：
　本願発明は、プリント作成装置であるのに対して、引用発明は、プリント作成システムである点。
　
４．判断
相違点（Ａ）について：
　表示手段における表示形態は、適宜に設定できるものであり、表示形態を違えなければならない特段の必要が無い場合は、表示形態を同じにするのが普通であるので、本願発明のように表示する画像の駒数を同じにしたことに、格別の困難性は認められない。
　
相違点（Ｂ）について：
　プリント作成システムとプリント作成装置とでは、実質的に相違するものではないので、引用発明のプリント作成システムを、本願発明のようにプリント作成装置としたことは、単なる設計変更にすぎない。
　
　前記相違点（Ａ）、（Ｂ）における本願発明の構成による効果は、引用発明から予測される範囲のものである。
　
５．むすび 
　したがって、本願発明は、本願出願前に頒布された引用文献１記載の発明に基づいて、当業者が容易に発明をすることができたものであり、特許法第２９条第２項の規定により特許を受けることができない。
　よって、結論のとおり審決する。